(57)【要約】【課題】ケーブル管路の配線スロットに水が溜まることを防いで、ケーブルの経年劣化を抑制する。【解決手段】Ｕ字溝１０には、ケーブル保護管を装填するためのスロット１１が設けられている。スロット１１の下側壁面は、その開口に向かって下方に傾斜するように構成され、これによって、スロット内部に水が溜まることを防ぐ。そしてスロット１１には、ケーブル保護管の脱落を防止するための脱落防止用突起部ｐが設けられる。ここで、コンクリートの打設等、型枠や金型への材料の充填不良をなくすために、脱落防止用突起部ｐの形状を備えた突起部成形部材１２を予め作製しておき、この突起部成形部材１２をＵ字溝製造用の型枠の所定部分に配置する。そしてその状態で型枠内にコンクリート等の材料を充填することによって、突起部成形部材１２と充填材料とが一体的に成形される。【選択図】        図４
2005076175.tif 000002
【特許請求の範囲】
【請求項１】
ケーブル保護管の保持が可能な構成を有するＵ字溝であって、該Ｕ字溝は、ケーブル保護管を装填することにより該ケーブル保護管を保持できるスロットが、該Ｕ字溝の長さ方向に形成され、前記スロットを構成する壁面のうち、鉛直方向下側の壁面が蓋スロットの開口に向かって下方に傾斜していることを特徴とするＵ字溝。
【請求項２】
請求項１に記載のＵ字溝において、該Ｕ字溝は、前記スロットを構成する壁面の一部に、該スロットからのケーブル保護管の脱落を防止するための脱落防止用突起部を有することを特徴とするＵ字溝。
【請求項３】
請求項２に記載のＵ字溝において、前記脱落防止用突起部は、該Ｕ字溝の長手方向に１カ所または複数箇所設けられていることを特徴とするＵ字溝。
【請求項４】
請求項２または３に記載のＵ字溝において、該Ｕ字溝は、前記脱落防止用突起部を含む成形部材が、Ｕ字溝本体と一体的に形成されてなることを特徴とするＵ字溝。
【請求項５】
請求項２ないし４のいずれか１に記載のＵ字溝において、前記脱落防止用突起部は、前記スロットを構成する壁面のうち、鉛直方向上側の壁面に設けられていることを特徴とするＵ字溝。
【請求項６】
請求項２ないし４のいずれか１に記載のＵ字溝において、前記脱落防止用突起部は、前記スロットを構成する壁面のうち、鉛直方向下側の壁面に設けられていることを特徴とするＵ字溝。
【請求項７】
請求項１ないし６のいずれか１に記載のＵ字溝において、該Ｕ字溝は、前記スロットに装填したケーブル保護管を覆うように前記スロットをカバーするカバー部材を備えることを特徴とするＵ字溝。
【請求項８】
請求項１ないし７のいずれか１に記載のＵ字溝において、該Ｕ字溝は、前記スロットから前記Ｕ字溝外部に連通するケーブル引き出し孔及び／または引き出し溝を有することを特徴とするＵ字溝。
【発明の詳細な説明】
【０００１】
【発明の属する技術分野】
本発明は、ケーブル保護管が配線可能なＵ字溝に関し、より具体的には、光ファイバケーブルや電力ケーブル、またはその他通信ケーブル等の各種ケーブルを内蔵する系ブル保護管の配管を行うことができるようにしたＵ字溝に関する。
【０００２】
【従来の技術】
情報通信基盤の整備に伴って、公衆回線網の光ファイバ化が進められている。現在は、一般家庭に対する光ファイバの引き込みが随時推進され、光ファイバの大きなデータ電送速度を利用した各種の通信・放送サービスが開始されようとしている。
【０００３】
図１２は、光ファイバケーブルによる光加入者線路の構成例について説明するための図である。光ファイバケーブルは、一般的にはその幹線においては地中に埋設され、各家庭等に入る場合等に地中から取り出されて電柱によって架空配線される。地中埋設の方式としては、電力ケーブルや通信ケーブルとともに光ファイバケーブルを配設できる共同溝方式や、光ファイバケーブル用の埋設管を用意して埋設する管路方式等がある。
【０００４】
図１２において、電話局１０１に接続された地下埋設光ファイバケーブル（Ｃ１）は、マンホール１０２を経て地上に引き出され、架空光ファイバケーブルＣ２として、電柱１０３を用いて屋外配線される。架空クロージャには、光スターカプラ１０６が実装され、着脱コネクタ１０７を用いて分岐が行われる。この光スターカプラ１０６は、局内、地下設置のスタンドクロージャ内及び加入者宅への設置も可能である。そして引き込み柱１０４を経て各家庭に引き込まれた光ファイバケーブルは、光ファイバに端末を接続するためのインタフェースであるＯＮＵ（Ｏｐｔｉｃａｌ  Ｎｅｔｗｏｒｋ  Ｕｎｉｔ）１０５に接続し、光アウトレット１０８を介して各端末１１０が接続される。各家庭の屋内においては、配線形態に合わせた光ファイバケーブルを用いて配線がなされる。
【０００５】
上記のような光ファイバ網は順次その整備が進められているが、地下埋設には多額のコストと工期がかかり、特に離島や過疎地等の加入者が比較的少ない地域に対しても長距離の敷設が必要であって、そのコスト負担を軽減できるシステムが望まれている。また、光ファイバケーブルのみならず、電力ケーブルや通信ケーブル等の各種ケーブルにおいても共同溝方式、管路方式ないし電柱を用いた架空配線に代わる合理的な敷設システムが求められる場合も多い。
【０００６】
一方、雨水や生活汚水の排水を行うための側溝を形成するものとして、コンクリート製のＵ字溝がある。図１３及び図１４に現在一般的に使用されているＵ字溝ユニットの斜視図及び側面図を示す。各図において、１０はＵ字溝（桝本体）、２０は蓋体である。図１２は、Ｌ型縁塊として構成された蓋体２０を桝本体１０にのせる形態のユニットを示すもので、図１３は、蓋体２０を落とし蓋として構成した形態のユニットを示すものである。このようなＵ字溝ユニットは、上記のように側溝として敷設されており、コストも比較的低く、過疎地や離島等でも既設されていることが多い。
【０００７】
Ｕ字溝のような水路ブロックを利用して、ケーブル配線を行う従来の例として、例えば、特許文献１には、プレキャストコンクリート製の水路用ブロックに、ケーブルの配線路を設けた構成が開示されている。また、特許文献２には、水道管等を容易に取付、配管することができる水路用ブロックが開示されている。
【０００８】
【特許文献１】
特開平１１−１７８１８６号公報
【特許文献２】
特開平９―１８４１８５号公報
【０００９】
【発明が解決しようとする課題】
しかしながら、上記特許文献１，２に記載された水路用ブロックは、ケーブル等を配線する配線路に雨水や排水が進入した場合に、配線路に水が溜まり、ケーブル等の経年変化を促進するという問題がある。
【００１０】
本発明は、Ｕ字溝を利用して光ファイバ等のケーブルの敷設を行うようにすることにより、ケーブルの設置を容易にし、その敷設コストを削減して合理化をはかるとともに、配線路に水が溜まることを防ぐようにしたＵ字溝を提供することを目的とするものである。
【００１１】
【課題を解決するための手段】
請求項１の発明は、ケーブル保護管の保持が可能な構成を有するＵ字溝であって、該Ｕ字溝が、ケーブル保護管を装填することにより該ケーブル保護管を保持できるスロットが、該Ｕ字溝の長さ方向に形成され、前記スロットを構成する壁面のうち、鉛直方向下側の壁面が蓋スロットの開口に向かって下方に傾斜していることを特徴としたものである。
【００１２】
請求項２の発明は、請求項１の発明において、該Ｕ字溝が、前記スロットを構成する壁面の一部に、該スロットからのケーブル保護管の脱落を防止するための脱落防止用突起部を有することを特徴としたものである。
【００１３】
請求項３の発明は、請求項２の発明において、前記脱落防止用突起部が、該Ｕ字溝の長手方向に１カ所または複数箇所設けられていることを特徴としたものである。
【００１４】
請求項４の発明は、請求項２または３の発明において、該Ｕ字溝が、前記脱落防止用突起部を含む成形部材がＵ字溝本体と一体的に形成されてなることを特徴としたものである。
【００１５】
請求項５の発明は、請求項２ないし４のいずれか１の発明において、前記脱落防止用突起部が、前記スロットを構成する壁面のうち、鉛直方向上側の壁面に設けられていることを特徴としたものである。
【００１６】
請求項６の発明は、請求項２ないし４のいずれか１の発明において、前記脱落防止用突起部が、前記スロットを構成する壁面のうち、鉛直方向下側の壁面に設けられていることを特徴としたものである。
【００１７】
請求項７の発明は、請求項１ないし６のいずれか１の発明において、該Ｕ字溝が、前記スロットに装填したケーブル保護管を覆うように前記スロットをカバーするカバー部材を備えることを特徴としたものである。
【００１８】
請求項８の発明は、請求項１ないし７のいずれか１の発明において、該Ｕ字溝が、前記スロットから前記Ｕ字溝外部に連通するケーブル引き出し孔及び／または引き出し溝を有することを特徴としたものである。
【００１９】
【発明の実施の形態】
本発明のＵ字溝は、光ファイバケーブル、電力ケーブルまたは通信ケーブル等の各種ケーブルを内蔵し、これらケーブルを保護するケーブル保護管を保持可能な構成を有するＵ字溝であって、排水溝としてのＵ字溝本来の機能と、ケーブル保護管の保持機能とを併せ持つことにより、ケーブルの敷設・配線を合理的かつ廉価に行うことができるようにしたものである。
本発明のＵ字溝においては、ケーブル保護管の配管用スロットの開口を下向きにし、スロットの下側の壁面がその開口に向かって下方に傾斜させることによって、スロットからの排水を促進してケーブルの劣化を防ぐようにしている。
【００２０】
また、ケーブル保護管を保持するために、配管用スロットに保護管の脱落防止用突起部を設ける。この脱落防止用突起部は、スロットの全長にわたって設ける必要はなく、ケーブル保護管の剛性等に応じて適当な間隔をおいて配置すればよい。また、脱落防止用突起部周囲の品質を安定させ、Ｕ字溝の生産性を高めるために、脱落防止用突起部を形成した部品を型枠内のスロット部に配置し、その状態でコンクリート等の材料の充填を行って、Ｕ字溝を製造する。
以下に、本発明のＵ字溝の実施例を添付された図面を参照しながら具体的に説明する。
【００２１】
図１は、本発明によるＵ字溝の一実施例を説明するための図で、Ｕ字溝の側面図を図１（Ａ）に、図１（Ａ）の要部拡大図を図１（Ｂ）に示すものである。図１において、１０はＵ字溝、１１はケーブル保護管を装填するためのスロット、２０は蓋体、３０はケーブル保護管である。
【００２２】
Ｕ字溝１０の内面には、ケーブル保護管３０を装填するためのスロット１１が設けられている。スロット１１は、Ｕ字溝の長さ方向に形成され、その形状は敷設すべきケーブル保護管３０に基づいて設計されている。ケーブル保護管３０は、光ファイバケーブルや電力ケーブル等のケーブルを集積して収納するもので、樹脂または金属製の管状成型物として構成されている。
【００２３】
図２は、本発明のＵ字溝に適用可能なケーブル保護管の一例を説明するための図で、ケーブル保護管３０の要部斜視概略図を図２（Ａ）に、図２（Ａ）のケーブル保護管３０にケーブルＣを装填した状態を図２（Ｂ）に示すものである。
ケーブル保護管３０は、波形が形成された樹脂製のコルゲート管であり、その内部に複数のケーブルＣを装填して、ケーブルを保護する。このケーブル保護管３０は、全長にわたって長さ方向に切り込み３１が設けられていて、この切り込み３１によってケーブルＣの装填が容易となり、また装填後のメンテナンスも容易となっている。また、ケーブル保護管３０は、コルゲート構造による可撓性を有しているため、スロット１１への装填や、メンテナンスの際のスロット１１からの取り出しの作業性もよい。
【００２４】
スロット１１は、その開口が下方を向くように配設されている。ここでは、スロット１１の下側内壁は、その開口に向かって下り傾斜するように構成され、これによって、スロット１１の内部に雨水や排水等の水が溜まることを防ぐことができる。
【００２５】
また、スロット１１は、ケーブル保護管３０を保持できるようにその形状が設計される。例えば、スロット１１の開口部分を若干括れさせて、ケーブル保護管３０をスロット内部に押し込めるようにして装填させるようにすることが好ましい。
【００２６】
図３は、本発明によるＵ字溝の他の実施例を説明するための図で、Ｕ字溝の側面図を図３（Ａ）に、Ｕ字溝の長さ方向断面図を図３（Ｂ）に、図３（Ｂ）のＣ１〜Ｃ３部の要部側断面図を図３（Ｃ）に、図３（Ｂ）のＤ部の要部側断面図を図３（Ｄ）に、さらに図３（Ｃ）のスロットにケーブル保護管を装填した状態の要部側面図を図３（Ｅ）に示すものである。
【００２７】
本実施例では、図３（Ａ）及び図２（Ｃ）に示すように、スロット１１に装填するケーブル保護管３０の保持を確実にするために、ケーブル保護管３０の脱落を防止する脱落防止用突起部ｐがスロット１１を構成する壁部に設けられる。スロット１１に装填されたケーブル保護管３０は、図３（Ｅ）に示すように、脱落防止用突起部ｐによって保持される。
【００２８】
脱落防止用突起部ｐは、スロット１１に対するケーブル保護管３０の装填を容易にするため、Ｕ字溝１０の全長にわたって設ける必要はない。例えば、図３（Ｂ）に示すように、Ｕ字溝１０の両端部Ｃ１，Ｃ３と中央部Ｃ２に設ければよい。勿論、本発明においては、図３（Ｂ）の構成に限定されることなく、スロット１１の径やケーブル保護管３０の剛性等に応じて、脱落防止用突起部ｐの数及び位置を適宜設定することができる。
【００２９】
Ｕ字溝の脱落防止用突起部ｐが形成されない領域（図３（Ｂ）のＤ部）は、図３（Ｄ）に示すごとくの形状になっていて、スロット１１に対するケーブル保護管３０の着脱が容易となっている。
【００３０】
図４は、本発明のＵ字溝の他の実施例を説明するための要部側面図である。図２に示すような脱落防止用突起部ｐを有するＵ字溝を製造する際に、型枠内で当該突起部ｐの部分でコンクリートが十分に充填されず、気泡を巻き込んだり、表面があばた状に荒れたりすることがある。通常、コンクリート製のＵ字溝の製造時には、Ｕ字溝の天地が逆になるように型枠を構成し、型枠の上方、すなわち、Ｕ字溝の底部から上部に向かってコンクリートを打設する。このために、スロット１１の上側に設けられた脱落防止用突起部ｐの部分には、コンクリートが均一に充填されにくい。
上記のような製造上の不具合を解消するために、本実施例では、脱落防止用突起部ｐの作製部分に、突起部成形部材１２を一体的に取り付けるようにする。
【００３１】
すなわち、本例においては、脱落防止用突起部ｐの形状を備えた突起部成形部材１２を予め作製しておき、この突起部成形部材１２をＵ字溝製造用の型枠の所定部分に配置する。そしてその状態で型枠内にコンクリートを打設することによって、突起部成形部材１２とコンクリートとが一体的に成形され、図３に示すごとくの形状を有するＵ字溝を得ることができる。すなわち、突起部成形部材１２を使用してコンクリートを打設し、Ｕ字溝を製造することによって、脱落防止用突起部ｐの部分に対するコンクリート充填の不具合を解消することができ、高品質のＵ字溝を得ることができる。
【００３２】
突起部成形部材１２は、その材料を限定するものではないが、例えば、樹脂材料、金属、あるいは陶器や木材などによって構成することができる。
【００３３】
図５は、本発明のＵ字溝の更に他の実施例を説明するための要部側面図である。本実施例においても、ケーブル保護管を装填するためのスロット１１は、その開口が下方を向くように配設され、スロット１１の下側内壁は、その開口に向かって下り傾斜するように構成されている。そして、本実施例では、スロット１１を構成する下側壁部に、ケーブル保護管の脱落防止用突起部ｐが形成されている。
【００３４】
本実施例においても、図３の例と同様に、脱落防止用突起部ｐは、Ｕ字溝１０の全長にわたって設ける必要はなく、Ｕ字溝１０の長さ方向両端部と中央部に設けたり、その他、スロットの径や管路ケーブルの剛性に応じて、その数及び位置を適宜設定することができる。
【００３５】
図６は、上記図５の構成において、図４の例と同様に突起部成形部材１２を使用してＵ字溝を構成した例を示すものである。上述のように、型枠内へのコンクリートの打設は、通常、Ｕ字溝の底部から上部に向かって行われるため、図４に示すようなスロット１１の下部に脱落防止用突起部ｐを設けた構成においては、コンクリートの充填不具合は発生しにくい。しかしながら、Ｕ字溝の形状や型枠の構成の仕方によって、脱落防止用突起部ｐにコンクリートが充填しにくくなる場合には、図５に示すように、突起部成形部材１２を使用してＵ字溝を構成することができる。
【００３６】
この場合、上述したように、型枠内の所定位置に予め突起部成形部材１２を配置しておき、その状態でコンクリートを型枠内に打設することよって、突起部成形部材１２を一体化したＵ字溝１０を製造することができる。
【００３７】
次に本発明のＵ字溝を構成する材料について説明する。上記実施例においては、コンクリートによってＵ字溝を構成する例を示したが、本発明では、コンクリートのＵ字溝に限定されることなく、各種素材によって本発明のＵ字溝を構成することができる。例えば、Ｕ字溝を構成する材料として、プラスチック、ゴム、木材、陶器、セメント、ガラス及びこれらの複数を組み合わせた材料を用いることができる。これらの材料の選定は、使用環境による要求物性や、量産性等のコストパフォーマンスを鑑みて適宜選択することができる。
【００３８】
例えば、プラスチックやゴム材料は、加工量産性がよく軽量で運搬性も良好であるので、例えば硬質で高強度の素材を選定することにより、本発明に係わるケーブル配線用のスロットを形成したＵ字溝として好適である。また、陶器によるＵ字溝においては高耐熱性が得られ、木材はその加工性が良く、プラスチック類よりも高耐熱特性を有し、安価である特性をもっているため、適宜材料を選択してＵ字溝を形成すればよい。これら材料を選定し、型枠や金型内にその材料を充填してＵ字溝を作製する場合に、脱落防止用突起部ｐの部分に材料が流動しにくいような場合は、図４あるいは図６に示したような突起部成形部材１２を使用して、品質劣化のないＵ字溝を作製することができる。
【００３９】
図７は、本発明のＵ字溝のスロット１１をカバーするカバー部材の一例を示す図である。図７に示すように、実際のケーブル保護管の配管においては、ケーブル保護管３０を装填したスロット１１の開口にカバー部材４０を装着するようにしてもよい。図７のカバー部材４０は、ゴム板によってスロットの形状に合うように作製され、さらに水抜きのための貫通孔４０ａが設けられる。
【００４０】
図８及び図９は、上記のごとくのスロット１１をカバーするカバー部材の他の例をそれぞれ示す図である。図８に示すように、カバー部材５０をゴム板で作製し、このときに離脱防止用の突起５０ｂを設けるようにしてもよい。このカバー部材５０には、図７と同様に水抜きのための貫通孔５０ａが設けられる。
【００４１】
また、図９に示すように、カバー部材６０をステンレス板または樹脂板で作製し、小ねじ６１でＵ字溝のスロット形成部に取り付けるようにしてもよい。カバー部材６０には、水抜きのための貫通孔６０ａが設けられる。
【００４２】
図１０及び図１１は、ケーブル引き出し用の溝または貫通口を備えたＵ字溝の構成例を示す図で、Ｕ字溝の側面図を図１０に、Ｕ字溝の長さ方向断面図を図１１に示すものである。Ｕ字溝１０は、スロット１１からＵ字溝外部に連通するケーブル引き出し溝１３が設けられる。複数のＵ字溝を連結して水路として施行したときに、ケーブル引き出し溝１３は、スロット１１からＵ字溝１０の外部に連通する貫通孔を形成する。
【００４３】
ケーブル引き出し溝１３は、スロット１１に装填したケーブルをスロット１１内部からＵ字溝１０の外部に引き出すために使用され、また、施行後のＵ字溝１０に対して、内部にケーブルを導入して、あらたに配線するための導入孔としても使用することができる。
【００４４】
また、ケーブル引き出し溝１３を、ケーブル保護管３０が挿通可能な大きさに形成し、ケーブル保護管３０そのものをスロット１１からＵ字溝１０の外部に導出するようにしてもよい。
【００４５】
図１０及び図１１の例では、ケーブル引き出し溝１３は、Ｕ字溝１０のスロット１１の長さ方向両端部に設けられ、溝形状に構成されているが、この構成に限定されることなく、スロット１１からケーブル（またはケーブル保護管）を引き出すことができる位置に適宜設けることができる。このとき、Ｕ字溝の長さ方向の中間位置に貫通孔を設ける場合には、上記のような溝形状ではなく、ケーブル引き出し用の貫通孔として形成されることになる。
【００４６】
なお、上記のごとくのケーブル引き出し溝（あるいは貫通孔）１３は、上述した各実施例の構成に適用することができる。
【００４７】
また、上記の各実施例において、スロット１１がＵ字溝１０の内面に形成された構成例を示したが、本発明ではＵ字溝１０の内面に限定されることなく、Ｕ字溝１０の外面にスロット１１を設けるようにしてもよい。
また、蓋体２０とともに使用するＵ字溝のみならず、上部が開放された状態で使用するＵ字溝に対しても本発明を適用できることはいうまでもない。
【００４８】
【発明の効果】
以上の説明から明らかなように、本発明によれば、Ｕ字溝を利用して光ファイバケーブル等の各種ケーブルの敷設を行うようにすることにより、ケーブルの設置を容易にし、ケーブルの敷設コストを削減して合理化をはかることができるとともに、ケーブルを装填するスロットの内部に水が溜まることなく、ケーブルの経年変化を抑制することができるようにしたＵ字溝を提供することができる。
【図面の簡単な説明】
【図１】本発明によるＵ字溝の一実施例を説明するための図である。
【図２】本発明のＵ字溝に適用可能なケーブル保護管の一例を説明するための図である。
【図３】本発明によるＵ字溝の他の実施例を説明するための図である。
【図４】本発明によるＵ字溝の更に他の実施例を説明するための要部側面図である。
【図５】本発明のＵ字溝の更に他の実施例を説明するための要部側面図である。
【図６】図５の構成において、脱落防止用突起部の成形不具合が生じる場合に、突起部成形部材を使用してＵ字溝を構成した例を示す図である。
【図７】本発明のＵ字溝のスロットをカバーするカバー部材の一例を示す図である。
【図８】本発明のＵ字溝のスロットをカバーするカバー部材の他の例を示す図である
【図９】本発明のＵ字溝のスロットをカバーするカバー部材の更に他の例を示す図である。
【図１０】ケーブル保護管引き出し用の貫通口を備えたＵ字溝の構成例を示す側面図である。
【図１１】ケーブル保護管引き出し用の貫通口を備えたＵ字溝の構成例を示す長さ方向断面図ある。
【図１２】光ファイバケーブルによる光加入者線路の構成例について説明するための図である。
【図１３】Ｌ型縁塊として構成された蓋体を桝本体にのせる形態のユニットを示す図である。
【図１４】蓋体を落とし蓋として構成した形態のユニットを示す図である。
【符号の説明】
１０…Ｕ字溝（桝本体）、１１…スロット、１２…突起部成形部材、１３…ケーブル保護管引き出し溝、２０…蓋体、３０…ケーブル保護管、３１…切り込み、４０，５０，６０…カバー部材、４０ａ，５０ａ，６０ａ…貫通孔、５０ｂ…突起、６１…小ねじ、１０１…電話局、１０２…マンホール、１０３…電柱、１０４…引き込み柱、１０５…ＯＮＵ（Ｏｐｔｉｃａｌ  Ｎｅｔｗｏｒｋ  Ｕｎｉｔ）、１０６…光スターカプラ、１０７…着脱コネクタ、１０８…光アウトレット、１１０…端末、Ｃ…ケーブル。
【図１】
2005076175.tif 000003
【図２】
2005076175.tif 000004
【図３】
2005076175.tif 000005
【図４】
2005076175.tif 000006
【図５】
2005076175.tif 000007
【図６】
2005076175.tif 000008
【図７】
2005076175.tif 000009
【図８】
2005076175.tif 000010
【図９】
2005076175.tif 000011
【図１０】
2005076175.tif 000012
【図１１】
2005076175.tif 000013
【図１２】
2005076175.tif 000014
【図１３】
2005076175.tif 000015
【図１４】
2005076175.tif 000016